(57)【要約】【課題】  製造コストを増大させることなく、複合機本体の電源装置による電源供給をバックアップすることができるデジタル複合機を提供する。【解決手段】  複合機本体２００は、商用電源が供給される電源装置２１１と、無線端末３００が着脱可能に接続され、電源装置２１１からの電源電圧を無線端末３００へ出力する充電用端子２０５ａと、電源装置２１１及び充電用端子２０５ａ間に設けられ、電源装置２１１から充電用端子２０５ａへ流れる電流を通過させるとともに、電源装置２１１の出力電圧が低下した場合に、充電用端子２０５ａを介して無線端末３００の電池３１３から供給される電流の逆流を遮断する逆流防止用ダイオード２１２と、充電用端子２０５ａ及び逆流防止用ダイオード２１２間に接続され、出力電圧の低下時に充電用端子２０５ａを介して電池３１３から電源供給される被給電回路により構成される。【選択図】  図２
2008301051.tif 000002
【特許請求の範囲】
【請求項１】
複合機本体と、上記複合機本体との間で無線通信可能な無線端末とからなるデジタル複合機において、
上記無線端末が、上記複合機本体からの電源供給により充電される電池を備え、
上記複合機本体は、商用電源が供給される電源装置と、
上記無線端末が着脱可能に接続され、上記電源装置からの電源電圧を上記無線端末へ出力する接続端子と、
上記電源装置及び上記接続端子間に設けられ、電源装置から接続端子へ流れる電流を通過させるとともに、上記電源装置の出力電圧が低下した場合に、上記接続端子を介して上記電池から供給される電流の逆流を遮断する逆流防止手段と、
上記接続端子及び上記逆流防止手段間に接続され、上記出力電圧の低下時に上記接続端子を介して上記電池から電源供給される被給電回路とを備えたことを特徴とするデジタル複合機。
【請求項２】
上記複合機本体が、通信回線を介して外部機器から通信データを受信する受信装置と、上記通信データを保持する上記被給電回路としての揮発性メモリと、書き込み可能な上記被給電回路としての不揮発性メモリとを備え、
上記無線端末は、上記電源装置の出力電圧を検出する本体電源監視手段と、上記接続端子に接続された接続状態を判別する接続状態判別手段と、上記無線端末が上記接続状態であり、かつ、上記出力電圧の低下が検出された場合に、上記揮発性メモリ上の通信データを読み出して上記不揮発性メモリに書き込む本体データバックアップ手段とを備えたことを特徴とする請求項１に記載のデジタル複合機。
【請求項３】
上記無線端末は、上記出力電圧の低下が検出された場合に、上記複合機本体内のメモリにアクセスする本体メモリアクセス手段を備え、
上記接続状態判別手段は、上記本体メモリアクセス手段によるアクセス結果に基づいて、上記接続状態を判別することを特徴とする請求項２に記載のデジタル複合機。
【発明の詳細な説明】
【技術分野】
【０００１】
本発明は、デジタル複合機に係り、さらに詳しくは、複合機本体との間で無線通信可能な無線端末を備えたデジタル複合機の改良に関する。
【背景技術】
【０００２】
携帯可能な無線端末に対して、ジョブの実行状況を通知することができる複写機が従来から知られている（例えば、特許文献１）。この特許文献１に記載の複写機は、充電可能な電池を有する無線端末と、この無線端末を着脱可能に収容する端末収容部が設けられ、電波を利用して無線端末に複写作業の終了などを通知する複写機本体とからなる。この複写機では、無線端末を保持することにより、複写作業中に複写機本体から離れた場合であっても、ユーザは無線端末を介して当該複写作業の終了を認識することができる。通常、無線端末内の電池は、無線端末が端末収容部内に収容されている場合に、複写機本体から供給される電力により充電される。
【０００３】
また、データの消失を防ぐために、停電時などに揮発性メモリに電力を供給する２次電池が設けられたデジタル複合機も従来から知られている（例えば、特許文献２）。この特許文献２に記載のデジタル複合機は、画像データなどを保持するための揮発性メモリと、商用電源の供給が停電などによって遮断された場合に、揮発性メモリに電力を供給するバックアップ用の２次電池とを備えて構成される。このデジタル複合機では、ＤＲＡＭ（Dynamic Random Access Memory）などの定期的な再書込み（リフレッシュ動作）が必要な揮発性メモリに対して、２次電池から電力供給を行うことにより、データの消失が防止される。
【特許文献１】特開平１０−８３１３１号公報
【特許文献２】特開平１１−１２７３２６号公報
【発明の開示】
【発明が解決しようとする課題】
【０００４】
上述した様なデジタル複合機では、電池から電力供給を行うことで揮発性メモリ上のデータの消失を防いでいるので、停電時間が長くなって電池が消耗してしまうと、データが失われてしまうという問題があった。また、商用電源の供給が遮断された場合に揮発性メモリに電力供給を行うためのバックアップ用の電池を新たに設ける必要があるので、製造コストが増大してしまうという問題もあった。
【０００５】
本発明は、上記事情に鑑みてなされたものであり、製造コストを増大させることなく、複合機本体の電源装置による電源供給をバックアップすることができるデジタル複合機を提供することを目的としている。特に、停電などによって電源装置に対する商用電源の供給が遮断された場合に、揮発性メモリ上のデータの消失を防ぐことができるデジタル複合機を提供することを目的としている。
【課題を解決するための手段】
【０００６】
第１の本発明によるデジタル複合機は、複合機本体と、上記複合機本体との間で無線通信可能な無線端末とからなるデジタル複合機であって、上記無線端末が、上記複合機本体からの電源供給により充電される電池を備え、上記複合機本体が、商用電源が供給される電源装置と、上記無線端末が着脱可能に接続され、上記電源装置からの電源電圧を上記無線端末へ出力する接続端子と、上記電源装置及び上記接続端子間に設けられ、電源装置から接続端子へ流れる電流を通過させるとともに、上記電源装置の出力電圧が低下した場合に、上記接続端子を介して上記電池から供給される電流の逆流を遮断する逆流防止手段と、上記接続端子及び上記逆流防止手段間に接続され、上記出力電圧の低下時に上記接続端子を介して上記電池から電源供給される被給電回路とを備えて構成される。
【０００７】
このデジタル複合機では、電源装置からの電源電圧を無線端末へ出力する接続端子と、電源装置との間に電源装置の出力電圧が低下した場合に電池から供給される電流の逆流を遮断する逆流防止手段が設けられ、出力電圧の低下時に上記電池から電源供給される被給電回路が接続端子及び逆流防止手段間に接続される。この様な構成によれば、電源装置の出力電圧が低下した場合に、接続端子を介して電池から供給される電流の逆流が遮断されるので、電池から電源供給によって被給電回路を適切に動作させることができる。従って、バックアップ用の電池を新たに設けるのに比べて、製造コストを増大させることなく、複合機本体における電源供給をバックアップすることができる。また、複合機本体の電源供給が電池によりバックアップされ、被給電回路が動作されるので、停電などによって複合機本体の電源装置への商用電源の供給が遮断された場合に、揮発性メモリ上のデータが消失するのを防ぐことができる。
【０００８】
第２の本発明によるデジタル複合機は、上記構成に加え、上記複合機本体が、通信回線を介して外部機器から通信データを受信する受信装置と、上記通信データを保持する上記被給電回路としての揮発性メモリと、書き込み可能な上記被給電回路としての不揮発性メモリとを備え、上記無線端末が、上記電源装置の出力電圧を検出する本体電源監視手段と、上記接続端子に接続された接続状態を判別する接続状態判別手段と、上記無線端末が接続状態であり、かつ、上記出力電圧の低下が検出された場合に、上記揮発性メモリ上の通信データを読み出して上記不揮発性メモリに書き込む本体データバックアップ手段とを備えて構成される。この様な構成によれば、接続状態であるにもかかわらず出力電圧の低下が検出された際に、揮発性メモリ上の通信データが不揮発性メモリに書き込まれるので、停電などによって複合機本体の電源装置に対する商用電源の供給が遮断された場合に、揮発性メモリ上のデータを退避させることができる。
【０００９】
第３の本発明によるデジタル複合機は、上記構成に加え、上記無線端末が、上記出力電圧の低下が検出された場合に、上記複合機本体内のメモリにアクセスする本体メモリアクセス手段を備え、上記接続状態判別手段が、上記本体メモリアクセス手段によるアクセス結果に基づいて、接続状態を判別するように構成される。このデジタル複合機では、出力電圧の低下が検出された場合に、複合機本体内のメモリに対するアクセス結果に基づいて接続状態であるか否かが判別され、その判別結果に基づいて揮発性メモリ上のデータを退避させる処理が行われる。この様な構成によれば、非接続状態への状態遷移によって出力電圧が低下するのをアクセス結果から検知することができるので、停電などによる商用電源の供給遮断を正しく検知して揮発性メモリ上のデータを退避させることができる。
【発明の効果】
【００１０】
本発明によるデジタル複合機によれば、無線端末の電池からの電源供給を利用して複合機本体の電源装置による電源供給がバックアップされるので、バックアップ用の電池を新たに設けるのに比べて、製造コストを増大させることなく、複合機本体における電源供給をバックアップすることができる。また、複合機本体の電源供給が電池によりバックアップされ、被給電回路が動作されるので、停電などによって複合機本体の電源装置に対する商用電源の供給が遮断された場合に、揮発性メモリ上のデータが消失するのを防ぐことができる。
【発明を実施するための最良の形態】
【００１１】
図１は、本発明の実施の形態によるデジタル複合機の一例を示した斜視図であり、複合機本体２００と、この複合機本体２００との間で無線通信可能な無線端末３００からなるデジタル複合機１００の外観が示されている。このデジタル複合機１００は、スキャナ機能及びプリンタ機能を有するファクシミリ装置であり、複合機本体２００の筐体に設けられた操作パネル２０１上に、入力キー２０２及び操作表示部２０３が配置されている。
【００１２】
また、複合機本体２００には、無線端末３００を着脱可能に収容する端末収容部２０４が設けられている。
【００１３】
入力キー２０２は、電話番号などを入力するための操作入力手段であり、例えば、テンキー、スタートキーからなる。操作表示部２０３は、操作情報や読取画像を表示するための表示装置と、表示画面上に配置されるタッチパネルからなる。表示装置は、例えば、矩形形状の表示画面を有するＬＣＤ（Liquid Crystal Display：液晶ディスプレイ）からなる。
【００１４】
端末収容部２０４は、直方体形状の無線端末３００を収容するためのホルダーであり、無線端末３００との接続端子２０５が配置されている。
【００１５】
無線端末３００は、充電可能な電池を有する携帯可能な小型の通信端末であり、複合機本体２００からの電波信号を受信することができる。例えば、原稿の読み取り、読取画像の送信或いは読取画像の印刷などのジョブが終了した場合に、或いは、その様なジョブの途中でエラーが発生した場合に、これらの実行状況が複合機本体２００から通知される。
【００１６】
無線端末３００内の電池は、無線端末３００が端末収容部２０４内に収容されている場合に、複合機本体２００から供給される電力により充電される。この無線端末３００には、複合機本体２００から通知された情報を表示するためのＬＣＤ３０１と、複合機本体２００との接続端子３０２が設けられている。接続端子２０５及び３０２は、無線端末３００を端末収容部２０４内に収容することにより、互いに当接するように配置されている。
【００１７】
図２は、図１のデジタル複合機１００の概略構成の一例を示したブロック図であり、複合機本体２００内の機能構成の一例が示されている。この複合機本体２００は、操作表示部２０３、充電用端子２０５ａ、制御用端子２０５ｂ、検出用端子２０５ｃ、バス２１０、電源装置２１１、逆流防止用ダイオード２１２、ＣＰＵ２１３、ドライバ回路２１４、画像読取部２１５、印刷部２１６、無線通信部２１７、停電時駆動部２１８、ファクシミリ通信部２１９、揮発性メモリ２２０及び不揮発性メモリ２２１により構成される。
【００１８】
ドライバ回路２１４、ファクシミリ通信部２１９、画像読取部２１５、印刷部２１６、操作表示部２０３、停電時駆動部２１８、制御用端子２０５ｂ、無線通信部２１７、揮発性メモリ２２０及び不揮発性メモリ２２１は、共通のバス２１０に接続されている。また、ＣＰＵ２１３は、ドライバ回路２１４を介してバス２１０に接続されている。
【００１９】
電源装置２１１は、デジタル複合機１００の外部から商用電源が供給され、各部へ電力を供給する動作を行っている。例えば、電灯線を介して外部から供給される商用の交流電源を直流に変換して、電力供給が行われる。
【００２０】
具体的には、電源装置２１１の出力の一部は、電力供給源Ａに供給され、この電力供給源Ａを介して、ＣＰＵ２１３、ドライバ回路２１４、画像読取部２１５、印刷部２１６、検出用端子２０５ｃ及び無線通信部２１７に電力供給される。また、電源装置２１１の出力の他の一部は、逆流防止用ダイオード２１２を介して、充電用端子２０５ａ、停電時駆動部２１８及び電力供給源Ｂに供給される。
【００２１】
逆流防止用ダイオード２１２は、電源装置２１１及び充電用端子２０５ａ間に設けられ、電源装置２１１から充電用端子２０５ａへ流れる電流を通過させるとともに、電源装置２１１の出力電圧が低下した場合に、充電用端子２０５ａを介して無線端末３００の電池から供給される電流の逆流を遮断するための逆流防止手段である。
【００２２】
電源装置２１１の出力の他の一部は、電力供給源Ｂを介して、ファクシミリ通信部２１９、操作表示部２０３、揮発性メモリ２２０及び不揮発性メモリ２２１に供給される。つまり、この例では、ファクシミリ通信部２１９、操作表示部２０３、揮発性メモリ２２０、不揮発性メモリ２２１及び停電時駆動部２１８が、電源装置２１１の出力電圧の低下時に、充電用端子２０５ａを介して無線端末３００の電池から電源供給される被給電回路となっている。
【００２３】
充電用端子２０５ａは、無線端末３００が着脱可能に接続され、電源装置２１１からの電源電圧を端末収容部２０４内に収容された無線端末３００へ出力するための接続端子２０５となっている。
【００２４】
制御用端子２０５ｂは、端末収容部２０４内に収容された無線端末３００が複合機本体２００を制御する際に使用される接続端子２０５である。検出用端子２０５ｃは、端末収容部２０４内に収容された無線端末３００が電源装置２１１の出力電圧を検出する際に使用される接続端子２０５である。
【００２５】
ファクシミリ通信部２１９は、電話回線を介して外部機器との間で画像データなどの通信データを送受信する動作を行っている。
【００２６】
画像読取部２１５は、原稿などの光学読み取りにより、読取画像を生成する光学式読取装置であり、ピクセルデータからなる画像データが読取画像として生成される。例えば、原稿に光を照射し、その照射光を走査させることにより、読取画像が読み取られる。
【００２７】
印刷部２１６は、ファクシミリ通信部２１９が受信した画像データや、画像読取部２１５が原稿から読み取った画像データを所定サイズの用紙に印刷する画像出力装置である。
【００２８】
操作表示部２０３は、矩形形状の表示画面を有するＬＣＤ２０３ａと、タッチパネル２０３ｂからなるユーザインターフェースである。
【００２９】
ＬＣＤ２０３ａの表示画面上には、ファクシミリ通信部２１９が受信した画像データや、画像読取部２１５が原稿から読み取った画像データなどがユーザ操作に基づいて表示される。タッチパネル２０３ｂは、ユーザ操作を検知し、操作位置に応じて所定の操作入力を行う操作入力装置である。
【００３０】
ＣＰＵ（Central Processing Unit：中央演算処理装置）２１３は、ドライバ回路２１４を介して、各部を制御する制御装置である。例えば、ファクシミリ通信部２１９が受信した通信データを印刷部２１６又は操作表示部２０３にバス２１０を介して伝達し、或いは、揮発性メモリ２２０にバス２１０を介して書き込む動作が行われる。また、画像読取部２１５が原稿から読み取った画像データをファクシミリ通信部２１９、印刷部２１６又は操作表示部２０３にバス２１０を介して伝達し、或いは、揮発性メモリ２２０にバス２１０を介して書き込む動作が行われる。また、バス２１０を介して揮発性メモリ２２０から読み出した画像データや通信データをファクシミリ通信部２１９、印刷部２１６又は操作表示部２０３へ伝達する動作が行われる。
【００３１】
揮発性メモリ２２０は、通信データなどを保持するためのメモリであり、記憶保持に電力供給が必要なメモリとなっている。この揮発性メモリ２２０は、例えば、ＤＲＡＭなどの半導体記憶素子からなる。不揮発性メモリ２２１は、揮発性メモリ２２０上のデータを退避させる際に使用するバックアップ用のメモリであり、記憶保持に電力供給を必要としない書き込み可能なメモリとなっている。例えば、半導体記憶素子からなるフラッシュメモリ、又は、磁気記憶装置が不揮発性メモリ２２１として用いられる。
【００３２】
無線通信部２１７は、原稿の読み取り、読取画像の送信或いは読取画像の印刷などのジョブの実行状況を通知するために、無線端末３００との間で無線通信を行う通信装置である。ジョブの実行状況を示す通信データは、アンテナ２１７ａを介して無線端末３００へ送信される。
【００３３】
ドライバ回路２１４は、電源装置２１１から電力供給源Ａを介して入力される電源電圧に基づいてオフし、バス２１０及びＣＰＵ２１３間の接続を遮断する動作を行っている。すなわち、このドライバ回路２１４は、電源装置２１１の出力電圧が所定範囲内にある場合に、オン状態となり、ＣＰＵ２１２による制御に基づいてバス２１０を駆動する。一方、電源装置２１１の出力電圧が所定範囲を越えて低下した場合には、オフ状態となり、バス２１０及びＣＰＵ２１３間の接続が遮断される。
【００３４】
この複合機本体２００は、停電などにより商用電源の供給が遮断し、電源装置２１１の出力電圧が低下した場合、充電用端子２０５ａを介して無線端末３００から供給される電力に基づいて動作する。この場合、画像読み取りや印刷に比べて電力消費の少ない処理は、継続的に実行される。例えば、通信データの送受信、電話による通話、受信データのメモリへの書き込み、電子メールの送受信は、商用電源の遮断時に実行中であれば、継続される。停電時駆動部２１８は、この様な商用電源の遮断時における各部の駆動制御を行っている。この停電時駆動部２１８では、例えば、電源装置２１１の出力電圧が低下した場合に、電源トラブルの発生を報知するためのメッセージをＬＣＤ２０３ａ上に表示する制御が行われる。
【００３５】
また、複合機本体２００には、通常モードと、通常モードよりも消費電力を抑制した省電力モードとがあり、これらの動作モードが切替可能であるものとする。その際、省電力モード時の駆動対象と、停電などによって商用電源の供給が遮断した場合における駆動対象とは同じではなく、後者の方が前者よりもより電力消費が少ない動作モードとなっている。
【００３６】
図３は、図１のデジタル複合機１００の概略構成の一例を示したブロック図であり、無線端末３００内の機能構成の一例が示されている。この無線端末３００は、充電用端子３０２ａ、制御用端子３０２ｂ及び検出用端子３０２ｃと、主制御部３１０と、無線通信部３１１と、ＬＣＤ３０１、スピーカ３０３及びバイブレータ３０４を有する報知部３１２と、電池３１３と、ドライバ回路３１４と、本体電源監視部３１５と、接続状態判別部３１６と、本体メモリアクセス部３１７と、本体データバックアップ部３１８により構成される。
【００３７】
充電用端子３０２ａは、複合機本体２００の充電用端子に着脱可能に接続され、複合機本体２００から供給される電力を電池３１３及び電力供給源Ｃへ出力するための接続端子３０２となっている。電池３１３の出力は、電力供給源Ｃを介して、無線通信部３１１、報知部３１２、本体電源監視部３１５、接続状態判別部３１６、本体メモリアクセス部３１７及び本体データバックアップ部３１８に供給される。
【００３８】
制御用端子３０２ｂは、複合機本体２００を制御する際に使用される接続端子３０２であり、ドライバ回路３１４を介して主制御部３１０に接続されている。検出用端子３０２ｃは、電源装置２１１の出力電圧を検出する際に使用される接続端子３０２であり、本体電源監視部３１５に接続されている。
【００３９】
主制御部３１０は、無線通信部３１１、報知部３１２、ドライバ回路３１４、本体電源監視部３１５、接続状態判別部３１６、本体メモリアクセス部３１７及び本体データバックアップ部３１８を制御する動作を行っている。
【００４０】
無線通信部３１１は、複合機本体２００との間で無線通信を行う通信装置であり、ジョブの実行状況を示す通信データがアンテナ３１１ａを介して受信される。報知部３１２は、無線通信部３１１が受信した通信データに基づいて、ジョブの実行状況をユーザに報知する動作を行っている。
【００４１】
例えば、ジョブの終了やエラー発生を知らせるためのメッセージがＬＣＤ３０１上に表示され、或いは、音声がスピーカ３０３から再生される。また、報知のためのブザー音が出力され、或いは、光が点灯し、或いは、バイブレータ３０４が振動する。
【００４２】
電池３１３は、充電用端子３０２ａを介して複合機本体２００の電源装置２１１から供給される電力により充電される２次電池である。
【００４３】
本体電源監視部３１５は、停電などによる商用電源の遮断を検知するために、複合機本体２００の電源装置２１１が検出用端子３０２ｃを介して出力する出力電圧を検出し、この検出結果に基づいて電力供給源Ｄに電力供給する動作を行っている。
【００４４】
ドライバ回路３１４は、本体電源監視部３１５から電力供給源Ｄを介して供給される電力に基づいてオンし、制御用端子３０２ｂ及び主制御部３１０間の接続を導通状態とする動作を行っている。すなわち、ドライバ回路３１４がオフ状態からオン状態となることにより、複合機本体２００のバス２１０に対してアクセスが可能となる。
【００４５】
このドライバ回路３１４は、電源装置２１１の出力電圧が所定範囲を越えて低下した場合に、オン状態となり、主制御部３１０による制御に基づいてバス２１０を駆動する。一方、電源装置２１１の出力電圧が所定範囲内にある場合には、オフ状態となり、制御用端子３０２ｂ及び主制御部３１０間の接続が遮断される。
【００４６】
つまり、無線端末３００が端末収容部２０４内に収容されている場合、ドライバ回路２１４がオンし、ドライバ回路３１４がオフした状態では、複合機本体２００のＣＰＵ２１３がバスマスタとして動作する。これに対して、ドライバ回路２１４がオフし、ドライバ回路３１４がオンした状態では、無線端末３００の主制御部３１０が制御用端子３０２ｂを介してバス２１０に接続され、バスマスタとして動作することとなる。
【００４７】
本体メモリアクセス部３１７は、本体電源監視部３１５より出力電圧の低下が検出された場合に、複合機本体２００内のメモリにアクセスし、メモリ内のデータを読み出す動作を行っている。具体的には、所定のメモリアドレスで指定される揮発性メモリ２２０又は不揮発性メモリ２２１内のデータが読み出される。このデータの読み出しは、制御用端子３０２ｂを介して行われ、例えば、アクセス信号が複合機本体２００との間で送受信される。
【００４８】
接続状態判別部３１６は、無線端末３００が端末収容部２０４内に収容され、接続端子２０５に接続された接続状態を判別する動作を行っている。具体的には、本体メモリアクセス部３１７によるアクセス結果に基づいて、無線端末３００が接続状態であるか否かが判別される。
【００４９】
例えば、ドライバ回路３１４におけるプルアップ又はプルダウン時のデータとは異なるデータが複合機本体２００内のメモリから読み出された場合に、接続状態と判断される。一方、ドライバ回路３１４のプルアップ又はプルダウン時のデータがそのまま読み出された場合には、非接続状態と判断される。
【００５０】
本体データバックアップ部３１８は、複合機本体２００に対する商用電源の遮断時に、複合機本体２００内のデータが消失するのを防ぐために、メモリ上のデータを退避させる動作を行っている。具体的には、無線端末３００が接続状態であり、かつ、出力電圧の低下が検出された場合に、複合機本体２００における揮発性メモリ２２０上のデータを読み出して不揮発性メモリ２２１に書き込む動作が行われる。
【００５１】
この様な複合機本体２００内のデータを退避させる処理は、制御用端子３０２ｂを介して行われ、例えば、バックアップ制御信号が複合機本体２００へ出力される。
【００５２】
図４のステップＳ１０１〜Ｓ１０８は、図３の無線端末３００における動作の一例を示したフローチャートである。まず、本体電源監視部３１５は、検出用端子３０２ｃを介して電源装置２１１の出力電圧を監視し、出力電圧が所定範囲を越えて低下したか否かを検出する（ステップＳ１０１，Ｓ１０２）。
【００５３】
ドライバ回路３１４は、本体電源監視部３１５により出力電圧の低下が検出されると、オンする（ステップＳ１０３）。次に、本体メモリアクセス部３１７は、本体電源監視部３１５により出力電圧の低下が検出されると、複合機本体２００内のメモリにアクセスし、メモリ内のデータを読み出す（ステップＳ１０４，Ｓ１０５）。
【００５４】
このとき、データの読み出しに失敗すると、無線端末３００が非接続状態であると判断してドライバ回路３１４がオフされ、この処理は終了する（ステップＳ１０６，Ｓ１０８）。一方、データの読み出しに成功すると、本体データバックアップ部３１８は、複合機本体２００における揮発性メモリ２２０上のデータを読み出し、不揮発性メモリ２２１内に書き込む（ステップＳ１０７）。そして、このデータの退避処理が終了すると、ドライバ回路がオフされ、この処理は終了する（ステップＳ１０８）。
【００５５】
本実施の形態によれば、無線端末３００の電池３１３を利用して複合機本体２００の電源装置２１１による電源供給がバックアップされるので、バックアップ用の電池を新たに設けるのに比べて、製造コストを増大させることなく、複合機本体２００における電源供給をバックアップすることができる。また、複合機本体２００の電源供給が電池３１３によりバックアップされるので、停電などによって複合機本体２００の電源装置２１１への商用電源の供給が遮断された場合に、揮発性メモリ２２０上のデータが消失するのを防ぐことができる。
【００５６】
また、接続状態であるにもかかわらず出力電圧の低下が検出された際に、揮発性メモリ２２０上の通信データが不揮発性メモリ２２１に書き込まれるので、停電などによって複合機本体２００の電源装置２１１に対する商用電源の供給が遮断された場合に、揮発性メモリ２２０上のデータを退避させることができる。
【００５７】
なお、本実施の形態では、無線端末３００が複合機本体２００におけるジョブの実行状況をユーザに報知するためのものである場合の例について説明したが、本発明はこれに限られるものではない。例えば、無線端末３００が複合機本体２００を遠隔操作するための操作用の端末であるものにも、本発明は適用することができる。
【００５８】
また、本実施の形態では、無線端末３００及び複合機本体２００間の無線通信が電波の送受信により行われる場合の例について説明したが、本発明はこれに限られるものではなく、例えば、赤外線を使って無線通信を行うものであっても良い。
【００５９】
また、本実施の形態では、電話回線を介して外部機器から通信データが受信される場合の例について説明したが、本発明はこれに限られるものではない。例えば、インターネットやＬＡＮなどの通信ネットワークを介して通信データを送受信するものにも本発明は適用することができる。
【図面の簡単な説明】
【００６０】
【図１】本発明の実施の形態によるデジタル複合機の一例を示した斜視図であり、無線端末３００及び複合機本体２００からなるデジタル複合機１００が示されている。
【図２】図１のデジタル複合機１００の概略構成の一例を示したブロック図であり、複合機本体２００内の機能構成の一例が示されている。
【図３】図１のデジタル複合機１００の概略構成の一例を示したブロック図であり、無線端末３００内の機能構成の一例が示されている。
【図４】図３の無線端末３００における動作の一例を示したフローチャートである。
【符号の説明】
【００６１】
１００  デジタル複合機
２００  複合機本体
２０１  操作パネル
２０２  入力キー
２０３  操作表示部
２０３ａ  ＬＣＤ
２０３ｂ  タッチパネル
２０４  端末収容部
２０５  接続端子
２０５ａ  充電用端子
２０５ｂ  制御用端子
２０５ｃ  検出用端子
２１０  バス
２１１  電源装置
２１２  逆流防止用ダイオード
２１３  ＣＰＵ
２１４  ドライバ回路
２１５  画像読取部
２１６  印刷部
２１７  無線通信部
２１８  停電時駆動部
２１９  ファクシミリ通信部
２２０  揮発性メモリ
２２１  不揮発性メモリ
３００  無線端末
３０１  ＬＣＤ
３０２  接続端子
３０２ａ  充電用端子
３０２ｂ  制御用端子
３０２ｃ  検出用端子
３１０  主制御部
３１１  無線通信部
３１２  報知部
３１３  電池
３１４  ドライバ回路
３１５  本体電源監視部
３１６  接続状態判別部
３１７  本体メモリアクセス部
３１８  本体データバックアップ部
【図１】
2008301051.tif 000003
【図２】
2008301051.tif 000004
【図３】
2008301051.tif 000005
【図４】
2008301051.tif 000006